(57)【要約】【課題】パネルの前面のみならず裏面側の空間をも利用し、キッチン用品の収納空間を拡充することができるキッチン用品の収納構造を提供する。【解決手段】多数の係止孔２１を有するパネル２を、壁面３と一定の間隔をおいて該壁面３に平行に取り付けるとともに、上記パネル２の裏面２２と上記壁面３との間に水平突子１を架設し、該水平突子１の水平部１１上方をキッチン用品の収納部とする構造であって、上記水平突子１のパネル側の一端部には上記係止孔２１と係合する係合部１２が設けられ、上記水平突子１の壁側の他端部は壁面３に衝止する衝止部１３とされる。【選択図】図４
2006149725.tif 000002
【特許請求の範囲】
【請求項１】
多数の係止孔を有するパネルを、壁面と一定の間隔をおいて該壁面に平行に取り付けるとともに、上記パネルの裏面と上記壁面との間に水平突子を架設し、該水平突子の水平部上方をキッチン用品の収納部とする構造であって、上記水平突子のパネル側の一端部には上記係止孔と係合する係合部が設けられ、上記水平突子の壁側の他端部は壁面に衝止する衝止部とされたキッチン用品収納構造。
【請求項２】
上記衝止部に固定用吸盤が付設された請求項１に記載のキッチン用品収納構造。
【請求項３】
上記係合部を下方に開口した凹状とし、そのパネル側下端部にさらにフック部が延設された請求項１に記載のキッチン用品収納構造。
【請求項４】
上記水平突子の水平部を軸としてローラが周設された請求項１に記載のキッチン用品収納構造。
【発明の詳細な説明】
【技術分野】
【０００１】
本発明は、キッチン用品の収納構造に関する。さらに詳しくは、シンクの後側の壁面に取り付けられるパネルの裏面空間を利用したキッチン用品収納構造に関する。
【背景技術】
【０００２】
従来、シンク等の後側の壁面に、この壁面と平行に一定間隔をおいて多数の係止用の長孔を穿ったパネルを取り付け、例えば、スプーンたて、布巾掛け、スパイス棚、包丁差し等のキッチン用品整理ユニットを、それらの背面に突設した係止片を上記長孔に差し込み、上記パネルの前面に吊り下げて収納することが行われている。
【特許文献１】特開平１１−３２８４９号公報（第１−３頁、第１図、第１０図）
【発明の開示】
【発明が解決しようとする課題】
【０００３】
上記特許文献の図１、図１０によく示されているように、パネルの前面には種々のキッチン用品が収納されているが、裏面と、その後側の壁面との間の空間は有効に利用されず、通常デッドスペースとされている。本発明は、パネルの前面のみならず裏面側の空間をもデッドスペースとすることなく利用し、キッチン用品の収納空間を拡充するとともに、キッチン空間を有効に利用することが可能なキッチン用品の収納構造を提供することをその課題とする。
【課題を解決するための手段】
【０００４】
上記課題を解決するために、本発明においてはつぎのような技術的手段を講じている。すなわち、本発明によれば、多数の係止孔を有するパネルを、壁面と一定の間隔をおいて該壁面に平行に取り付けるとともに、上記パネルの裏面と上記壁面との間に水平突子を架設し、該水平突子の水平部上方をキッチン用品の収納部とする構造であって、上記水平突子のパネル側の一端部には上記係止孔と係合する係合部が設けられ、上記水平突子の壁側の他端部は壁面に衝止する衝止部とされたキッチン用品収納構造が提供される。上記係止孔の形状はとくに限定されるものではないが、長孔状の係止孔が好ましく用いられる。
【０００５】
上記衝止部に固定用吸盤が付設されることが好ましい。固定用吸盤としては、通常、弾性を有するゴム系材料を半球状に形成したものが好ましく用いられる。
【０００６】
上記係合部としてはとくに限定されず、水平突子のパネル側端部をネジ切りして上記係止孔に挿通させ、ナット、袋ナット等を用いてネジ留めしてもよく、また、適当な形状に加工して係合部を形成してもよい。好ましくは、上記水平突子のパネル側の一端部に下方に開口した凹状に加工した係合部が設けられる。さらに、上記係合部のパネル側下端部にキッチン用品を吊り下げるフック部を延設することが好ましい。また、上記水平突子の水平部を軸としてローラが周設されることが好ましい。
【発明の効果】
【０００７】
請求項１に記載の発明は上記のとおりであり、キッチンの壁面に平行に取り付けられた多数の係止孔を有するパネルの裏面と該壁面との間に水平突子を架設し、該水平突子の水平部上方をキッチン用品の収納部として利用するため、従来デッドスペースであったパネルの裏面側の空間をもキッチン用品の収納空間として利用することができる。
【０００８】
キッチン壁面に衝止する水平突子の衝止部に固定用吸盤が付設されるため、上記固定用吸盤の吸着作用により、しっかりと水平突子をパネルの裏面と壁面との間に架設することができる。このとき、キッチン壁面を磁器タイルとすることにより、固定用吸盤の吸着作用が強化され、さらにしっかりと架設することができる。
【０００９】
上記係合部を下方に開口した凹状とし、そのパネル側下端部にさらにキッチン用品を吊り下げるフック部が延設されているため、まず、フック部を係止孔に貫入し、ついで上記下方に開口した凹状部分を係止孔に係合させることにより、簡単に本発明の水平突子を架設することができるとともに、上記フック部を用いてさらに多くのキッチン用品を収納することができる。
【００１０】
上記水平突子の水平部を軸としてローラが周設されているため、例えばローラが周設された２個の水平突子にキッチン用品を載置して収納するとき、その出し入れがローラのコロの作用によって容易となり、主婦の負担を軽減させることができる。
【発明を実施するための最良の形態】
【００１１】
以下、本発明の実施形態について図面を参照して、詳細に説明する。図１は、本発明にかかるキッチン用品収納構造を示す斜視図である。図１において、多数の長孔状の係止孔２１を有するパネル２は、壁面３に固定されたパネル支持用パイプ６によって、シンク７の上方で壁面３と平行に一定間隔をおいてしっかりと吊り下げ支持され、このパネル２の裏面２２と壁面３との間に本発明にかかる水平突子１が架設される。
【００１２】
図２は、図１における水平突子１の詳細を示す側断面図である。図２からよくわかるように、水平突子１の略中央部は水平部１１とされるとともに、パネル２側の一端部には上記係止孔２１と係合する係合部１２が設けられ、壁側の他端部は壁面３に衝止する衝止部１３とされている。図２から明らかなように、上記係合部１２は下方が開口した凹状とされ、このようにすることによって、係合部１２は係止孔２１と簡単に係合されるとともに、衝止部１３は壁面３に衝止し、水平突子１はパネル２の裏面２２と壁面３との間にしっかりと架設される。
【００１３】
図３は、上記衝止部１３に固定用吸盤４が付設された形態を示す側断面図である。弾性を有するゴム系材料から形成された上記固定用吸盤４は吸盤の吸着作用により壁面３に固定され、水平突子１は、パネル２の裏面２２と壁面３との間にしっかりと架設される。図４は、図３における係合部１２のパネル側下端部にさらにフック部１２１を延設するとともに、水平突子１の水平部１１を軸としてローラ５を周設した形態を示す側断面図である。
【００１４】
図４から明らかなように、係合部１２に延設されたフック部１２１にキッチン用品を吊り下げて収納することが可能となり、さらに収納空間を拡充することができる。また、上記水平部１１を軸としてローラ５が周設されているため、ローラ５のコロ作用によってキッチン用品の収納、取り出しを容易に行うことができる。
【００１５】
図５はこのようにして構成されたキッチン用品収納構造のパネル２の裏面２２にラップ８等のキッチン用品を収納するとともに、前面におたま、泡立て器等、種々のキッチン用品を吊り下げ収納した状態を示す斜視図である。図５からよくわかるように、本発明を実施することによりキッチンの美観を損ねることなく、キッチン用品の収納空間が拡充されていることが明らかである。なお、図５においては水平突子１の水平部１１等は図示せず、１段の場合のみ示しているが、多段に設けてもよく、また、水平方向に適当な間隔で任意の個数の水平突子１を係止孔２１に貫入してもよい。このように、本発明は種々設計変更可能であり、いずれの場合も特許請求の範囲を逸脱しない限り本発明の技術的範囲に属する。
【図面の簡単な説明】
【００１６】
【図１】本発明にかかるキッチン用品収納構造を示す斜視図である。
【図２】図１における水平突子の詳細を示す側断面図である。
【図３】図２における衝止部に固定用吸盤を付設した形態を示す側断面図である。
【図４】図３における係合部にフック部を延設するとともに、水平突子の水平部を軸としてローラを周設した形態を示す側断面図である。
【図５】本発明にかかるキッチン用品収納構造のパネルの裏面と前面にキッチン用品を収納した状態を示す斜視図である。
【符号の説明】
【００１７】
１          水平突子
１１        水平部
１２        係合部
１２１      フック部
１３        衝止部
２          パネル
２１        係止孔
２２        裏面
３          壁面
４          固定用吸盤
５          ローラ
６          パネル支持用パイプ
７          シンク
８          ラップ
【図１】
2006149725.tif 000003
【図２】
2006149725.tif 000004
【図３】
2006149725.tif 000005
【図４】
2006149725.tif 000006
【図５】
2006149725.tif 000007